(57)【要約】【課題】事前に外来ノイズの存在を検知して、その結果を当該運用者に連絡することにより、外来ノイズの影響を迅速に排除できるリーダライタを提供する。【解決手段】このリーダライタ１００は、システム全体を制御するコンピュータ５０と、外部のコンピュータ５０とのデータの通信プロトコルを司る送受信装置１と、リーダライタ１００全体の動作を制御する制御装置２と、制御装置２を動作させる手順を記録したメモリ装置３と、制御装置２からのデータを搬送波に乗せて変調する変調器４と、操作コマンドを入力する入力装置５と、制御装置２からの情報を表示する表示装置６と、電力増幅する電力増幅器７と、２値化データに変換する検波復調器８と、電力用搬送波とデータの授受をするループアンテナ９と、ループアンテナ９により受信した搬送波の磁界強度を測定する磁界強度測定部１０から構成されている。【選択図】　　　図３
2004048288.tif 000002
【特許請求の範囲】
【請求項１】
ループアンテナを介して所定の変調方式に基づく搬送電力の送信とデータの授受をＩＣカードとの間で非接触にて行う非接触型ＩＣカード用リーダライタにおいて、
該リーダライタは、前記ループアンテナにより受信した電波の磁界強度を測定する磁界強度測定手段と、複数のコマンド信号を交互に送信するポーリング送信手段と、該ポーリング送信手段により送信されたコマンドに対する応答信号を検出する応答信号検出手段と、前記磁界強度測定手段若しくは応答信号検出手段により干渉波を受信したか否かを判定する干渉波判定手段と、を備え、
前記干渉波判定手段は、前記ループアンテナにより受信した磁界強度若しくは応答信号に基づいて外部から干渉波を受信したか否かを判定することを特徴とする非接触型ＩＣカード用リーダライタ。
【請求項２】
前記磁界強度測定手段は、当該リーダライタが搬送電力の送信を停止中に、前記ループアンテナにより受信した電波の磁界強度が所定の閾値を超えた場合、前記閾値を超えた信号を前記干渉波判定手段に出力することを特徴とする請求項１に記載の非接触型ＩＣカード用リーダライタ。
【請求項３】
前記干渉波判定手段は、当該リーダライタが搬送電力の送信を停止中に、前記磁界強度測定手段からの出力信号が所定の時間継続した場合、当該リーダライタが干渉波を受信したと判定することを特徴とする請求項１に記載の非接触型ＩＣカード用リーダライタ。
【請求項４】
前記応答信号検出手段が前記ポーリング送信手段により送信したコマンドとは異なる応答信号若しくは解読不能な信号を受信した場合、前記干渉波判定手段は、当該リーダライタが干渉波を受信したと判定することを特徴とする請求項１に記載の非接触型ＩＣカード用リーダライタ。
【請求項５】
前記干渉波判定手段が干渉波を受信したと判定した場合、当該リーダライタの表示部にその旨を表示することを特徴とする請求項１乃至４の何れか一項に記載の非接触型ＩＣカード用リーダライタ。
【請求項６】
前記干渉波判定手段が１干渉波を受信したと判定した場合、当該リーダライタの表示部にその旨を表示すると共に、上位機器にその旨を通知することを特徴とする請求項１乃至４の何れか一項に記載の非接触型ＩＣカード用リーダライタ。
【請求項７】
前記干渉波判定手段は、前記リーダライタの電源が投入された際に、前記磁界強度測定手段若しくは応答信号検出手段により干渉波を受信したか否かを判定することを特徴とする請求項１乃至６の何れか一項に記載の非接触型ＩＣカード用リーダライタ。
【請求項８】
前記干渉波判定手段は、前記上位機器の指示により、前記磁界強度測定手段若しくは応答信号検出手段により干渉波を受信したか否かを判定するように制御されることを特徴とする請求項１乃至６の何れか一項に記載の非接触型ＩＣカード用リーダライタ。
【発明の詳細な説明】
【０００１】
【発明の属する技術分野】
本発明は、非接触型ＩＣカード用リーダライタに関し、さらに詳しくは、外部からの干渉波を検出する検出装置に関するものである。
【０００２】
【従来の技術】
近年、ＩＣカードと呼ばれる新しい情報記録媒体が、市場に広く出回っている。ＩＣカードは、クレジットカード、銀行カード、ポイントカード等のカード状あるいはシート状の形状を備え、カード内にＩＣ（Ｉｎｔｅｇｒａｔｅｄ　Ｃｉｒｃｕｉｔ）が組み込まれているものを総称した名称である。特に非接触型ＩＣカードは、鉄道の駅改札における乗降時に使用される定期券等として、多くの駅で磁気カード方式と併用して採用されている。また、前記した非接触ＩＣカードはデータのやり取りをリーダライタとの間で電波を介して行うため、リーダライタとＩＣカード間のプロトコル、変調波形、及び符号化の標準化作業が進められている。特に、この標準化の中で、キャリア周波数として産業、科学、及び医療用に広く使用されている１３．５６ＭＨｚを使用することになり、各機器間の電波干渉の問題がクローズアップされてきた。言い換えると、リーダライタへの干渉波の影響がますます増加し、それによってリーダライタが誤動作を助長する結果となり、リーダライタ自らがその干渉波を事前に検出して対策する必要性に迫られている。
【０００３】
【発明が解決しようとする課題】
前述したように、リーダライタは、データのやり取りを電波で行うため、利便性が高い反面、その信頼性も高く要求される。つまり、同じキャリア周波数を使用する他の機器からの外来ノイズによるデータの誤認識を極力抑える必要性が出てくる。しかし、ＩＣカードからの微弱な電波を受信してデータの授受を行なうため、その受信感度は比較的高く、外部から強い電波が放射された場合、相互の電波による干渉やその他のノイズによる誤動作が無視できない問題となる。
本発明は、かかる課題に鑑み、事前に外来ノイズの存在を検知して、その結果を当該運用者に連絡することにより、外来ノイズの影響を迅速に排除できるリーダライタを提供することを目的とする。
【０００４】
【課題を解決するための手段】
本発明はかかる課題を解決するために、請求項１は、ループアンテナを介して所定の変調方式に基づく搬送電力の送信とデータの授受をＩＣカードとの間で非接触にて行う非接触型ＩＣカード用リーダライタにおいて、該リーダライタは、前記ループアンテナにより受信した電波の磁界強度を測定する磁界強度測定手段と、複数のコマンド信号を交互に送信するポーリング送信手段と、該ポーリング送信手段により送信されたコマンドに対する応答信号を検出する応答信号検出手段と、前記磁界強度測定手段若しくは応答信号検出手段により干渉波を受信したか否かを判定する干渉波判定手段と、を備え、前記干渉波判定手段は、前記ループアンテナにより受信した磁界強度若しくは応答信号に基づいて外部から干渉波を受信したか否かを判定することを特徴とする。
リーダライタへの外部からの干渉波、若しくは妨害電波には、キャリア周波数そのものと、そのキャリア周波数を変調したコマンド信号の２種類がある。前者はアンテナが受信した電波の磁界強度のレベルにより検出が可能であり、後者は、信号を復調してそのコードを解析することにより可能である。そして、検出したキャリアやコードに基づいて干渉波であるか否かを判定するものである。ここで、干渉波とはリーダライタが受信するＩＣカードからの正規の信号以外のキャリア周波数、及び信号の全てを指す。
かかる発明によれば、キャリア周波数、或いはコマンド信号から干渉波を判定するので、異なる種類の干渉波を検出することができ、しかも現用の回路に磁界強度測定手段を追加するだけで可能であるので、部品のコスト上昇を最小限に抑えることができる。
請求項２は、前記磁界強度測定手段は、当該リーダライタが搬送電力の送信を停止中に、前記ループアンテナにより受信した電波の磁界強度が所定の閾値を超えた場合、前記閾値を超えた信号を前記干渉波判定手段に出力することを特徴とする。
リーダライタはループアンテナからキャリアを送信して、ＩＣカードからの返信はキャリアの負荷変動値として検出する。従って、リーダライタが送信を停止中は、本来であればループアンテナから電波を受信することはないはずであるが、もし、そのときループアンテナが何らかの磁界を検出した場合、それは、ＩＣカード以外の機器からの干渉波であると判断することができる。
かかる発明によれば、ループアンテナからキャリアを送信しない時に、外部から所定のレベル以上の磁界強度を検出した場合、その磁界を干渉波判定手段に出力するので、外部からの外来ノイズおよび干渉波を正確に検出することができる。
【０００５】
請求項３は、前記干渉波判定手段は、当該リーダライタが搬送電力の送信を停止中に、前記磁界強度測定手段からの出力信号が所定の時間継続した場合、当該リーダライタが干渉波を受信したと判定することを特徴とする。
外来ノイズには瞬間的に発生するノイズと継続的に発生しているノイズの２種類がある。このうち、瞬間的に発生するノイズは、例えば、雷によるサージノイズ等の比較的時間が短くランダムに発生するので、あまり大きな影響を与えないが、継続的に発生しているノイズは、同じキャリア周波数を使用する他の機器からの場合が多く、正規の信号の変調波形を乱す要因となる。そこで、磁界強度が所定のレベル以上で継続する場合は、干渉波の発生源が周囲にあると判断することが重要である。
かかる発明によれば、磁界強度が所定のレベル以上継続する場合、干渉波と判断するので、干渉波と他のノイズを判別して正確に干渉波のみを識別することができる。
請求項４は、前記応答信号検出手段が前記ポーリング送信手段により送信したコマンドとは異なる応答信号若しくは解読不能な信号を受信した場合、前記干渉波判定手段は、当該リーダライタが干渉波を受信したと判定することを特徴とする。
リーダライタの稼動中は常にキャリア周波数と、それを変調したポーリング信号を送信している。そして、正規のＩＣカードが所定の距離に近接してそのポーリング信号を受信して、それに対するレスポンスを返せば、そこから交信が開始される。しかし、ポーリング信号に対するレスポンスが無い場合や、異なるレスポンス或いは解読不能な信号を受信した場合は、リーダライタと交信が不可能なＩＣカードか、或いは干渉波を受信したと判断する。
かかる発明によれば、応答信号を解析することにより干渉波を受信したか否かを判断できるので、現用の回路構成を変更することなく干渉波を検出することができる。
【０００６】
請求項５は、前記干渉波判定手段は、干渉波を受信したと判定した場合、当該リーダライタの表示部にその旨を表示することを特徴とする。
例えば、駅改札のリーダライタには、利用者に内容を表示する液晶の表示部が設置されている。従って、その表示部を利用して運用者がリーダライタをメンテナンスした時に、その結果を表示するようにすれば、表示部の有効活用が図れるとともに、判定結果を運用者に明確に通知することができる。
かかる発明によれば、リーダライタの表示部に干渉波を受信した旨を表示するので、表示部の有効活用が図れるとともに、判定結果を運用者に明確に通知することができる。
請求項６は、前記干渉波判定手段は、干渉波を受信したと判定した場合、当該リーダライタの表示部にその旨を表示すると共に、上位機器にその旨を通知することを特徴とする。
リーダライタの表示部に干渉波を受信したことを表示することにより、例えば、改札機の付近にいる駅員に連絡することが可能である。しかし、それだけでなく同時にその内容をリーダライタを制御する上位機器に通知して、それにより適切な指示を仰ぐ必要がある。つまり、リーダライタは、それを統括的に制御するＰＣ等の上位機器に接続されているので、リーダライタからの情報は全て上位機器に通知されて管理される。
かかる発明によれば、リーダライタが干渉波を受信したことを上位機器に通知するので、上位機器はリーダライタの状況を把握できると共に、リーダライタは上位機器からの適切な判断を受けることができる。
【０００７】
請求項７は、前記干渉波判定手段は、当該リーダライタの電源が投入された際に、前記磁界強度測定手段若しくは応答信号検出手段により干渉波を受信したか否かを判定することを特徴とする。
一般的にＰＣを使用した機器は、電源を投入した時にプログラムによりメモリ等の内容を消去したり、回路のリセットを行うイニシャル動作が起動する。この後、メモリの内容を読み込むブートストラップが行われる。この時に、干渉波判定手段によりキャリア周波数と応答信号のチェックを行う。つまり、始業時に必ずこの動作を行うことにより、リーダライタが干渉波により悪影響を受けているか否かを検出するものである。
かかる発明によれば、リーダライタの始業時に干渉波判定手段によりキャリア周波数と応答信号のチエックを行うので、リーダライタが干渉波により悪影響を受けているか否かを事前に検出することができる。
請求項８は、前記干渉波判定手段は、前記上位機器の指示により、前記磁界強度測定手段若しくは応答信号検出手段により干渉波を受信したか否かを判定するように制御されることを特徴とする。
前記のように、リーダライタに電源が投入された時に干渉波の検出を行う場合と、上位機器の指示に基づいて適宜行う場合がある。後者の場合は、例えば、一定の周期毎に行う場合と、メンテナンス時に指示して行う場合がある。いずれにしても、上位機器からの指示により判定するように制御されるので、上位機器はリーダライタの状態を常に正確に把握することができる。
かかる発明によれば、リーダライタは上位機器の指示に基づいて干渉波の検出を開始するので、上位機器はリーダライタの状態を常に正確に把握することができる。
【０００８】
【発明の実施の形態】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
先ず、本発明の実施形態の説明の前に、一般的なリーダライタと非接触ＩＣカード（以下、単にＩＣカードと記す）の構成と、その動作について説明しておく。図１は、リーダライタの構成を示すブロック図である。このリーダライタ１００は、外部にありリーダライタ１００に対してデータの授受を行ってシステム全体を制御するコンピュータ５０と、外部のコンピュータ５０とのデータの通信プロトコルを司る送受信装置１と、リーダライタ１００全体の動作を制御する制御装置２と、制御装置２を動作させる手順を記録したファームウェアを格納するメモリ装置３と、制御装置２からのデータを搬送波に乗せて変調する変調器４と、操作コマンドを入力する入力装置５と、制御装置２からの情報を表示する表示装置６と、制御装置２からの交流信号である電力供給用信号と変調器４からの書き込みコマンドを電力増幅する電力増幅器７と、ループアンテナ９から受信した信号から２値化データに変換する検波復調器８と、図示しないＩＣカードとの電力用搬送波とデータの授受をするループアンテナ９と、から構成されている。
【０００９】
次に、本構成によるリーダライタ１００の動作を説明する前に、対を成すＩＣカードの構成を先に説明しておく。図２は、ＩＣカードの構成を示すブロック図である。このＩＣカード２００は、前記リーダライタ１００からの電力用搬送波によりデータの授受をするループアンテナ２０と、書き込みコマンド読み出しコマンドを送受する送受信回路２１と、ループアンテナ２０からの電力用搬送波を受け、それを整流して直流電力に変換する電力生成回路２２と、制御用ファームウェアとデータの一時記憶を司るメモリ装置２３と、制御回路２６からの搬送波に送信コマンドを乗せて変調する変調器２４と、送受信回路２１からの搬送波データから２値化データに変換する復調器２５と、ＩＣカード２００の全体の動作を制御する制御回路２６から構成されている。
【００１０】
次に、図１と図２を併せて参照してそれぞれの動作について説明する。リーダライタ１００は、図示しない電源が入れられると制御装置２のイニシャル動作後、メモリ装置３に記憶されたプログラムに従い動作を開始する。まず、制御装置２は、ＩＣカード２００に供給する電力供給用信号と、ポーリング信号を交互に電力増幅器７から送信する。その信号は、ループアンテナ９から電磁波として外部に放射される。例えば、ＩＳＯ１４４４３タイプＡでは、中心搬送周波数１３．５６ＭＨｚ±７ＫＨｚ、ＡＭ変調度１００％、変調方式ＡＳＫ（Ａｍｐｌｉｔｕｄｅ　Ｓｈｉｆｔ　Ｋｅｙｉｎｇ）、符号化方式はＭｏｄｉｆｉｅｄ　Ｍｉｒｒｏｒ、通信速度が１０６ｋｂ／ｓで行われる。次に、ＩＣカード２００がリーダライタ１００に近接すると、ループアンテナ２０が電力供給用信号を受信し、電力生成回路２２によりその搬送波を整流して直流電力に変換して、カード内の全ての回路に供給する。電力を供給されて制御回路２６が駆動すると、メモリ装置２３に格納されたプログラムに従って、制御を開始する。ＩＣカード２００は前記と同じ規格に従えば、変調方式は負荷変動方式、符号化方式はＭａｎｃｈｅｓｔｅｒ方式、リーダライタとの通信関係は、リーダライタ１００からの固有の呼び出しコードを認識して初めて返信する。また、副搬送波は中心搬送波の１／１６の８４７．５ｋＨｚ、通信速度は１０６ｋｂ／ｓである。
次に、ＩＣカード２００の制御回路２６は、まず送受信回路２１からコマンドを復調器２５で復調して２値化信号に変換し、そのコマンドを解析する。その結果自分が呼び出されていることを認識すると、レスポンスを、変調器２４により変調して送受信回路２１を介してループアンテナ２０から送信する。
このレスポンスをリーダライタ１００がループアンテナ９で受信して、検波復調器８で２値化コードに変換し、制御回路２により解析してＩＣカード２００が規格に合致したカードであると認識する。それにより、以後リーダライタ１００とＩＣカード２００の間で通信が行われる。
ＩＣカード２００の無電池タイプは、リーダライタ１００に、このカードを近接して非接触状態でリーダライタ１００からの搬送波を内部のループアンテナ２０で受信し、それを整流して自らの電力として駆動するタイプである。従って、あくまでも最初のアクセスは、リーダライタ１００側であり（これをリーダライタｔａｌｋ　ｆｉｒｓｔ／カードｌｉｓｔｅｎと呼ぶ）、その後、リーダライタ１００からの固有の呼び出しコードを認識して初めて返信するものである。
【００１１】
図５は、リーダライタとＩＣカードの変調波形と、符号化を説明するための図である。図はＩＣカードがタイプＡの場合の図である。図５（ａ）はリーダライタからＩＣカードへの通信であり、図５（ｂ）はＩＣカードからリーダライタへの通信時の変調波形である。この例では何れの場合もデータが「０１００１」の場合について説明する。図５（ａ）よりタイプＡの特徴は、リーダライタからＩＣカードへの通信の変調度をＡＳＫ１００％としており、搬送波７０を符号７１のところで一瞬停止（ポーズ）してデータ信号を伝えている。つまり、データ「０」では搬送波７０が切れ目無く発生し、データ「１」では符号７１のように一瞬停止（ポーズ）してデータ信号を伝えている。また、ＩＣカードからリーダライタへの通信は、ＩＣカード側で負荷をＯＮ／ＯＦＦして振幅を変化させ、搬送波の１／１６の８４７ｋＨｚのサブキャリアを発生する。さらにこのサブキャリアをデータ信号でＯＮ／ＯＦＦして、Ｍａｎｃｈｅｓｔｅｒ方式でコード化している。つまり、図５（ｂ）のように、データが「０」のときは、符号７２の搬送波１３．５６ＭＨｚと、符号７３のサブキャリア８４７ｋＨｚの組合わせで表現し、データが「１」のときは、符号７４のサブキャリア８４７ｋＨｚと、符号７５の搬送波１３．５６ＭＨｚの組合わせで符号化している。
このように、リーダライタからは常に搬送波が送信され、各方式に基づいて変調されてデータが送信される。また、ＩＣカードからはサブキャリアによりコード化されたデータが送信される。しかし、搬送波の周波数１３．５６ＭＨｚは、他の機器でも使用されるため、それらの機器からの外来ノイズにより前記リーダライタのデータが乱されたり、或いはＩＣカードからのデータが変化して誤動作する可能性がある。
【００１２】
図３は、本発明の実施形態に係るリーダライタの構成を示すブロック図である。同じ構成要素には同じ参照番号が付されているので、重複する説明は省略する。図３のリーダライタ３００が図１と異なる点は、ループアンテナ９により受信した搬送波の磁界強度を測定する磁界強度測定部１０を更に備えた点である。この磁界強度測定部１０は、図４に示すように、例えば、搬送波を整流する整流回路６０と、その信号レベルを所定の閾値レベル６２と比較するレベル比較回路６１により構成される。ここで、閾値レベルは予め固定的に設定しても良いし、その都度設定値を変えてもよい。磁界強度測定部１０は、ループアンテナ９から受信した搬送波を整流回路６０により整流する。この方法は、例えば、コンデンサにより高周波を吸収して、その電荷を蓄積するロウパスフィルタのような構成である。そのコンデンサに蓄積された電荷を（電圧）をレベル比較回路６１により閾値レベル６２と比較して、その閾値レベルより電圧が高い場合に出力する構成にする。この構成は例えば、コンパレータのような回路で実現できる。
【００１３】
図６は、本発明のリーダライタの動作を説明するためのタイミングチャートである。（ａ）はリーダライタからの送信タイミングであり、（ｂ）はＩＣカードからのレスポンスのタイミングであり、（ｃ）は磁界強度測定部１０の出力波形のタイミングであり、（ｄ）は判定結果を表すタイミングである。図３と図６を参照して本実施形態の動作を説明する。リーダライタ３００は、搬送波３０とポーリング信号３１を図６（ａ）のように交互に送信する。そこに前記ポーリング信号３１に合致するＩＣカードが近接されると、（ｂ）のようにそのＩＣカードからレスポンス３２が返送される。そのレスポンス３２は検波復調器８により復調され、制御装置２に入力される。ここまで、磁界強度測定部１０の出力波形は、搬送波３０とポーリング３１が送信されている間、波形３４と３５として出力されるが、制御装置２はこの出力波形は自己の搬送波による波形であることを認識しているので、無視するように制御する。従って、検波復調器８からのレスポンス３２のみを検知して正しいレスポンスか否かを解析する。正しければ、（ｄ）によりＯＫの判定信号３９を出力する。その後は、通常のリーダライタとしての動作であるので、ここでは説明を省略する。
正規のＩＣカードとの交信が終了して、コンピュータ５０からリーダライタのチエックのための指示が発せられ、リーダライタ３００の搬送波が（ａ）の記号４２のようにＯＦＦした時に、磁界強度測定部１０が閾値レベル６２を超える磁界を受信し、そのレベルが所定の時間（ｔ）を超過した場合（記号３６の波形）、外部からの干渉波であると判断して（ｄ）のようにＮＧの判定信号４０を出力する。このように、搬送波を送信停止中にループアンテナ９が外部からの搬送波を受信するか否かを検出することにより、干渉波の存在を検出することができる。また、そのレベルと時間を検出条件とすることにより、不要なノイズまで検出して検出感度が過敏になることを防ぐことができる。
また、再度、搬送波が送信されてリーダライタの動作が再開され、（ｂ）のように検波復調器８により復調された信号３３が制御装置２に入力され、それを解析した結果、正規のレスポンスと異なる信号、若しくは解読不可能な信号であると判断した場合、何らかの原因で信号が乱されたか、あるいは干渉波により搬送波が乱されたと判断して、（ｄ）のようにＮＧの判定信号４１を出力する。ここでも前記と同様に磁界強度測定部１０の出力波形は、搬送波３０とポーリング３１が送信されている間、波形３７と３８として出力されるが、制御装置２はこの出力波形は自己の搬送波による波形であることを認識しているので、無視するように制御する。このように、通常の動作中の場合は、復調信号を制御装置２が解析することにより、干渉波の影響によるノイズを検出することができる。
【００１４】
【発明の効果】
以上記載のごとく請求項１の発明によれば、キャリア周波数による磁界強度、或いは通常の動作中はコマンド信号から干渉波を判定することにより、異なる種類の干渉波を検出することができ、しかも現用の回路に磁界強度測定手段を追加するだけで両者の検出が可能となるので、部品のコスト上昇を最小限に抑えることができる。
また請求項２では、ループアンテナからキャリアを送信しない時に、外部から所定のレベル以上の磁界強度を検出した場合、その磁界は外部からの干渉波である。そして、その磁界を干渉波判定手段にレベル変換して出力することにより、外部からの外来ノイズおよび干渉波を正確に検出することができる。
また請求項３では、磁界強度が所定のレベル以上で、且つ所定の時間以上継続する場合、干渉波と判断することにより、干渉波と他のノイズを明確に判別して不要なノイズの検出を除外して正確に干渉波のみを識別することができる。
また請求項４では、応答信号を制御装置が解析することにより干渉波を受信したか否かを判断するので、現用の回路構成を変更することなくソフトウェアの変更のみで干渉波を検出することができる。
また請求項５では、リーダライタの表示部に干渉波を受信した旨を表示するので、現用の表示部の有効活用が図れるとともに、判定結果を運用者に明確に通知することができる。
また請求項６では、リーダライタが干渉波を受信したことを表示部に表示すると共に、上位機器にも通知するので、上位機器はリーダライタの状況を把握でき、それによりリーダライタは上位機器からの適切な判断を受けることができる。また請求項７では、リーダライタの始業時に干渉波判定手段によりキャリア周波数と応答信号のチエックを行うので、リーダライタが干渉波により悪影響を受けているか否かを、稼動させる前に検出することができる。
また請求項８では、リーダライタは上位機器の指示に基づいて干渉波の検出を開始するように制御されるので、上位機器はリーダライタの状態を常に正確に把握することができる。
【図面の簡単な説明】
【図１】リーダライタの動作を説明するためのリーダライタの構成を示すブロック図である。
【図２】ＩＣカードの動作を説明するためのＩＣカードの構成を示すブロック図である。
【図３】本発明の実施形態に係るリーダライタの構成を示すブロック図である。
【図４】本発明の磁界強度測定部の構成例のブロック図である。
【図５】本発明のリーダライタとＩＣカードの変調波形と、符号化を説明するための図である。
【図６】本発明のリーダライタの動作を説明するためのタイミングチャートである。
【符号の説明】
１　送受信装置、２　制御装置、３　メモリ装置、４　変調器、５　入力装置、６　表示装置、７　電力増幅器、８　検波復調器、９　ループアンテナ、１０
磁界強度測定部
【図１】
2004048288.tif 000003
【図２】
2004048288.tif 000004
【図３】
2004048288.tif 000005
【図４】
2004048288.tif 000006
【図５】
2004048288.tif 000007
【図６】
2004048288.tif 000008